(57)【要約】  本発明は、無線信号の信号成分と干渉成分との電力比を示す信号成分対干渉成分比（ＳＩＲ：Signal to Interference Ratio）の値を厳密に検出可能なＳＩＲ検出装置および無線通信装置を実現することを目的とする。その目的のために、ＳＩＲの検出を行い、無線信号に対してＲＦ（Radio Frequency）領域におけるアナログ信号処理を行う無線処理部（４）のＮＦ（Noise Figure）に基づいて、無線処理部の内部雑音が無線信号に加える電力Ｎの値を特定し、無線信号の受信強度を示すＲＳＳＩ（Received Signal Strength Indicator）に基づいて、無線信号に含まれる干渉成分の電力Ｉの値を特定し、検出したＳＩＲの値に対して、内部雑音の電力Ｎおよび干渉成分の電力Ｉに基づいた補正量を演算することにより、ＳＩＲに含まれた内部雑音の電力Ｎを除去する補正を行う。【特許請求の範囲】
【請求項１】
無線信号の信号成分と干渉成分との電力比を示す信号成分対干渉成分比（ＳＩＲ：Signal to Interference Ratio）の検出を行い、
前記無線信号に対してＲＦ（Radio Frequency）領域におけるアナログ信号処理を行う無線処理部（４）のＮＦ（Noise Figure）に基づいて、前記無線処理部の内部雑音が前記無線信号に加える電力Ｎの値を特定し、
前記無線信号の受信強度を示すＲＳＳＩ（Received Signal Strength Indicator）に基づいて、前記無線信号に含まれる干渉成分の電力Ｉの値を特定し、
検出した前記ＳＩＲの値に対して、前記内部雑音の電力Ｎおよび前記干渉成分の電力Ｉに基づいた第１補正量を演算することにより、前記ＳＩＲに含まれた前記内部雑音の電力Ｎを除去する第１補正を行う
ＳＩＲ検出装置。
【請求項２】
前記無線処理部（４）より前記ＮＦの情報を予め取得して、前記内部雑音の電力Ｎの値を特定し、
前記干渉成分の電力Ｉの採り得る値の範囲を複数に区分し、前記区分の各代表値と前記内部雑音の電力Ｎの値とに基づいて、前記区分ごとに前記第１補正量を予め算出し、算出された各前記第１補正量をテーブル（１５）に記憶し、
前記第１補正に際して、前記干渉成分の電力Ｉの値に応じた前記第１補正量を前記テーブルから読み出す
請求の範囲１記載のＳＩＲ検出装置。
【請求項３】
前記無線信号は、ＣＤＭＡ（Code Division Multiple Access）方式の信号であって、
検出された前記ＳＩＲに対して前記第１補正を行い、さらにＣＤＭＡ方式におけるパイロットビット数に基づいた第２補正量を演算することにより、前記ＳＩＲの推定に伴う誤差を縮小する第２補正を行う
請求の範囲１記載のＳＩＲ検出装置。
【請求項４】
前記第１補正が行われた前記ＳＩＲの採り得る値の範囲を複数に区分し、前記パイロットビット数に基づいて、前記パイロットビット数ごとに前記第２補正量を予め算出し、算出された各第２補正量を前記区分の各代表値に演算して、各演算結果をテーブル（２４）に記憶し、
前記第２補正に際して、前記第１補正の行われた前記ＳＩＲの値および前記パイロットビット数に応じた前記演算結果を前記テーブルから読み出す
請求の範囲３記載のＳＩＲ検出装置。
【請求項５】
前記無線処理部（４）より前記ＮＦの情報を予め取得して、前記内部雑音の電力Ｎの値を特定し、
前記干渉成分の電力Ｉの採り得る値の範囲を複数の第１区分に区分し、また、検出する前記ＳＩＲの採り得る値の範囲を複数の第２区分に区分し、
前記第１区分の各代表値と前記内部雑音の電力Ｎの値とに基づいて、前記第１区分ごとに前記第１補正量を予め算出し、
算出した前記第１補正量を前記第２区分の各代表値に対して演算し、各演算結果を第１演算値とし、
前記パイロットビット数に基づいて、前記パイロットビット数ごとに前記第２補正量を予め算出し、
算出された各第２補正量を各前記第１演算値に演算して、各演算結果を第２演算値としてテーブル（２７）に記憶し、
前記第１および第２補正に際して、前記干渉成分の電力Ｉの値、検出された前記ＳＩＲの値および前記パイロットビット数に応じた前記第２演算値を前記テーブルから読み出す
請求の範囲３記載のＳＩＲ検出装置。
【請求項６】
前記無線処理部は複数の無線処理部から選択される一つであって、前記複数の無線処理部に対応して前記ＮＦも複数、存在し、
複数の前記ＮＦに基づいて、前記複数の無線処理部の各前記内部雑音が前記無線信号に加える各電力Ｎの値を特定し、
前記第１補正において、検出した前記ＳＩＲの値に対して、前記複数の無線処理部から選択された前記無線処理部に対応した前記電力Ｎおよび前記干渉成分の電力Ｉに基づいた前記第１補正量を演算する
請求の範囲１記載のＳＩＲ検出装置。
【請求項７】
複数の前記ＮＦの情報を予め取得して、各前記内部雑音の各電力Ｎの値を特定し、
前記干渉成分の電力Ｉの採り得る値の範囲を複数に区分し、前記区分の各代表値と各前記内部雑音の各電力Ｎの値とに基づいて、前記区分ごとおよび前記複数の無線処理部ごとに前記第１補正量を予め算出し、算出された各前記第１補正量をテーブル（２６）に記憶し、
前記第１補正に際して、前記干渉成分の電力Ｉの値と、前記複数の無線処理部から選択された前記無線処理部とに応じた前記第１補正量を前記テーブルから読み出す
請求の範囲６記載のＳＩＲ検出装置。
【請求項８】
前記第１補正を行うか否かを選択可能な
請求の範囲１記載のＳＩＲ検出装置。
【請求項９】
請求の範囲１乃至８のいずれかに記載のＳＩＲ検出装置を含む復調器（７，７ａ）と、
前記無線信号に対してＲＦ領域におけるアナログ信号処理を行う無線処理部（４，４１〜４ｎ）と、
ＲＳＳＩ測定部と
を備える無線通信装置。
【発明の詳細な説明】
【技術分野】
【０００１】
本発明は、携帯電話やトランシーバ等を介した通信の中継等を行う無線基地局内に設置された無線通信装置に関し、特に、無線通信における信号成分対干渉成分比（ＳＩＲ：Signal to Interference Ratio）を精度よく検出可能なＳＩＲ検出装置および無線通信装置に関する。
【背景技術】
【０００２】
無線基地局内に設置された無線通信装置は、一般に、無線信号の送受口となるアンテナと、アンテナの次段にて無線信号のＲＦ（Radio Frequency）領域におけるアナログ信号処理を行う送受信装置と、送受信装置の次段にて無線信号のベースバンド領域における信号処理（デジタルまたはアナログ信号処理）を行うベースバンド処理部と、を有している。【０００３】
このうちＲＦ領域におけるアナログ信号処理を行う送受信装置内には、可変利得増幅器や減衰器等を含む無線処理部が設けられている。無線処理部の構成については、下記の特許文献１や２に詳しい。【０００４】
この無線処理部は、トランジスタ等の各種電気的素子で構成される。一般的に、電気的素子は雑音を発生させるので、無線処理部を通過する無線信号のＳＮ比（Signal to Noise Ratio）は大なり小なり劣化してしまう。このＳＮ比の劣化を示すパラメータとして、無線処理部が入力熱雑音の何倍の内部雑音を等価的に発生するかを示すＮＦ（Noise Figure）がある。【０００５】
さて、移動体通信の一方式としてＣＤＭＡ（Code Division Multiple Access）方式がある。ＣＤＭＡ方式は、ユーザ毎に個別に割り当てた符号を用いて各ユーザ信号を識別する。したがって、各符号が互いに全く影響することがなければ、それぞれのユーザ毎の信号は他の信号に全く影響されることなく元の信号に戻すことができる。しかし、実際の伝送路では、さまざまな要因により、それぞれの符号同士の間で互いに影響を与える成分が存在し、この影響量によってシステムに収容できるユーザ数が制限される。このような、伝送路における符号同士の間で互いに影響を与える成分を干渉成分と呼ぶ。【０００６】
無線通信装置内のベースバンド処理部においては、無線信号の信号成分と干渉成分との電力比を示す信号成分対干渉成分比（ＳＩＲ：Signal to Interference Ratio）の検出がＳＩＲ検出装置により行われる。このＳＩＲを検出する場合、干渉成分の値を特定するために、送受信装置にて生成される無線信号の受信強度を示すＲＳＳＩ（Received Signal Strength Indicator）の情報が使用される。しかしながら、このＲＳＳＩの値には干渉成分だけでなく、無線処理部の有するＮＦの影響が含まれている。よって、ＳＩＲの値を厳密に検出することができなかった。【０００７】
また、ＣＤＭＡ方式においては、パイロットビットを復調することによりＳＩＲの推定を行っているが、復調するパイロットビット数によりＳＩＲの推定値に誤差が生じる。よって、ＳＩＲの値を厳密に検出することができない。【０００８】
【特許文献１】特開２０００−１８３７６２号公報
【特許文献２】特開２０００−２１６６５２号公報
【発明の開示】
【課題を解決するための手段】
【０００９】
本発明は、上記のような問題点を解決し、ＳＩＲの値を厳密に検出可能なＳＩＲ検出装置および無線通信装置を実現することを目的とする。【００１０】
本発明に係るＳＩＲ検出装置および無線通信装置は、無線信号の信号成分と干渉成分との電力比を示す信号成分対干渉成分比（ＳＩＲ：Signal to Interference Ratio）の検出を行い、前記無線信号に対してＲＦ（Radio Frequency）領域におけるアナログ信号処理を行う無線処理部（４）のＮＦ（Noise Figure）に基づいて、前記無線処理部の内部雑音が前記無線信号に加える電力Ｎの値を特定し、前記無線信号の受信強度を示すＲＳＳＩ（Received Signal Strength Indicator）に基づいて、前記無線信号に含まれる干渉成分の電力Ｉの値を特定し、検出した前記ＳＩＲの値に対して、前記内部雑音の電力Ｎおよび前記干渉成分の電力Ｉに基づいた第１補正量を演算することにより、前記ＳＩＲに含まれた前記内部雑音の電力Ｎを除去する第１補正を行うことを特徴としている。
【発明の効果】
【００１１】
本発明によれば、検出したＳＩＲの値に対して、無線処理部が無線信号に加える内部雑音の電力Ｎおよび干渉成分の電力Ｉに基づいた第１補正量を演算することにより、ＳＩＲに含まれた内部雑音の電力Ｎを除去する第１補正を行う。よって、無線処理部の内部雑音の影響のないＳＩＲが得られ、ＳＩＲの値を厳密に検出可能なＳＩＲ検出装置および無線通信装置を実現できる。【００１２】
この発明の目的、特徴、局面、および利点は、以下の詳細な説明と添付図面とによって、より明白となる。
【図面の簡単な説明】
【００１３】
【図１】無線処理部の発生する内部雑音（熱雑音）のＳＩＲ検出に与える影響を説明する図である。
【図２】無線処理部の発生する内部雑音（熱雑音）のＳＩＲ検出に与える影響を説明する他の図である。
【図３】実施の形態１に係る無線通信装置たる無線基地局装置の構成を示す図である。
【図４】ＳＩＲ検出装置における補正量のテーブルを示す図である。
【図５】ＣＤＭＡ方式におけるパイロットビット信号の逆拡散演算を行った結果のベクトルを示す図である。
【図６】Ｗ−ＣＤＭＡの上り制御信号の構成図である。
【図７】スロットフォーマット内の各種インデックスとその構成数についてまとめた表を示す図である。
【図８】ＳＩＲ検出装置における補正量を用いた演算結果を記憶するテーブルを示す図である。
【図９】実施の形態３に係る無線通信装置たる無線基地局装置の構成を示す図である。
【図１０】ＳＩＲ検出装置における、複数の無線処理部ごと、および、干渉成分の電力Ｉの採り得る値の区分ごとに、算出された各補正量を記憶するテーブルを示す図である。
【図１１】第１および第２の補正を一括して行うためのテーブルを示す図である。
【符号の説明】
【００１４】
１  アンテナ、２  送受信装置、３  ベースバンド処理部、４，４１〜４ｎ  無線処理部、５  ベースバンド処理−無線処理インタフェース、６  デジタル変調部、７，７ａ  デジタル復調部、７１，７２  ＳＩＲ検出装置、８  チャネルコーディング・デコーディング部、９  有線処理部、１０  無線基地局装置、１１  ＮＦ検出部、１２，１４  インタフェース、１３  ＲＳＳＩ測定部。
【発明を実施するための最良の形態】
【００１５】
（実施の形態１）
本実施の形態は、検出したＳＩＲの値に対して、無線処理部が無線信号に加える内部雑音の電力Ｎおよび干渉成分の電力Ｉに基づいた補正量を演算することにより、ＳＩＲに含まれた内部雑音の電力Ｎを除去する補正を行うＳＩＲ検出装置および無線通信装置である。【００１６】
まず、図１を用いて、無線処理部の発生する内部雑音（熱雑音）がＳＩＲ検出に与える影響を説明する。図１では、無線信号に影響を与える成分として、伝送路における干渉成分はほとんど存在せず、伝送路上の熱雑音（Thermal Noise）のスペクトルＡ１のみが、無線信号に影響を与える主成分となる理想状態を示している。【００１７】
図１においては、例として熱雑音のスペクトルＡ１の値を−１０８ｄＢｍと想定し、また、無線基地局内に設置された無線通信装置内部の無線処理部のＮＦの成分Ｎ１を＋４ｄＢと想定している。【００１８】
受信信号（Received Signal）に対する上位装置からの目標ＳＩＲ値Ｔ１が＋１０ｄＢの場合、受信信号Ａ２としては−１０８ｄＢｍに＋１０ｄＢを加えた−９８ｄＢｍが理想である。しかしながら、無線処理部のＮＦ成分Ｎ１の＋４ｄＢが無視できないので、実際には目標ＳＩＲ値Ｔ１とＮＦ成分Ｎ１との差分（＝＋６ｄＢ）しか、利得Ｇ１が得られていない。【００１９】
このように、無線信号に影響を与える成分として、伝送路における干渉成分が小さな値であって、伝送路上の熱雑音のみが無線信号に影響を与える主成分となる場合には、ＳＩＲの検出時に無線処理部のＮＦの影響が無視できなくなり、ＳＩＲの利得が劣化する。【００２０】
次に、無線処理部の発生する内部雑音（熱雑音）のＳＩＲ検出への影響を説明する他の例を図２に示す。図２では、無線信号に影響を与える成分として、伝送路上の熱雑音（Thermal Noise）のスペクトルＡ１に加えて、複数の端末からの伝送路における干渉成分Ｉ１が存在する場合を示している。【００２１】
図２においては、例として熱雑音のスペクトルＡ１の値を−１０８ｄＢｍと想定し、複数の端末からの干渉成分のスペクトルＩ１の値を−８５ｄＢｍと想定している。また、図１の場合と同様に、無線基地局内に設置された無線通信装置内部の無線処理部のＮＦの成分Ｎ１を＋４ｄＢと想定している。【００２２】
ここで、熱雑音（スペクトルＡ１）とＮＦ（成分Ｎ１）とのスペクトル和を考えると、その値は−１０８ｄＢｍ＋４ｄＢ＝−１０４ｄｂｍとなる。さらに、この熱雑音とＮＦとのスペクトル和と、複数の端末からの干渉成分のスペクトルＩ１とのスペクトル和を考えると、その値はスペクトルＡ３に示すようにほぼ−８５ｄＢｍとなる。なぜなら、−８５ｄＢｍ＝３．１６２２８×１０-9ｍＷであり、−１０４ｄＢｍ＝１．５８４８９×１０-11ｍＷであるので、３．１６２２８×１０-9ｍＷ＋１．５８４８９×１０-11ｍＷの演算結果は、ほぼ３．１６２２８×１０-9ｍＷ、すなわち−８５ｄＢｍと近似できるからである。【００２３】
すると、受信信号（Received Signal）に対する上位装置からの目標ＳＩＲ値Ｔ１が＋１０ｄＢｍの場合、受信信号Ａ４としては、−８５ｄＢｍに＋１０ｄＢを加えた−７５ｄＢｍとなる。この場合は、無線処理部のＮＦ成分Ｎ１の＋４ｄＢを無視することができるので、目標ＳＩＲ値Ｔ１とほぼ同じ値（＝＋１０ｄＢ）の利得Ｇ２が得られる。【００２４】
すなわち、複数の端末からの干渉成分の値が高い場合には、ＳＩＲに含まれる無線処理部のＮＦの影響が無視できるが、干渉成分の値が低い場合には、ＳＩＲに含まれる無線処理部のＮＦの影響を除去する補正を行う必要がある。【００２５】
図３は、本実施の形態に係る無線通信装置たる無線基地局装置１０の構成を示す図である。この無線基地局装置１０は、ＣＤＭＡ（Code Division Multiple Access）方式の無線信号の通信を行う基地局装置であって、無線信号の送受口となるアンテナ１と、アンテナの次段にて無線信号のＲＦ（Radio Frequency）領域におけるアナログ信号処理を行う送受信装置２と、送受信装置２の次段にて無線信号のベースバンド領域における信号処理（ＣＤＭＡ方式に対応したデジタル信号処理）を行うベースバンド処理部３と、を有している。【００２６】
このうちＲＦ領域におけるアナログ信号処理を行う送受信装置２は、可変利得増幅器や減衰器等を含む無線処理部４と、ＡＤ（Analog to Digital）変換器やＤＡ（Digital to Analog）変換器等を含み、ベースバンド処理部３と無線処理部４との間でＲＦ領域の無線信号をやり取りするためのインタフェースとして機能するベースバンド処理−無線処理インタフェース部５とを有している。【００２７】
無線処理部４は、トランジスタ等の各種電気的素子で構成されるため、内部雑音を発生する。そして、無線処理部４は、この内部雑音を示す指標としてのＮＦ（Noise Figure）を検出するＮＦ検出部１１を有している。ＮＦ検出部１１には、ＮＦの情報を送信可能なインタフェース１２が接続されている。【００２８】
また、ベースバンド処理−無線処理インタフェース部５は、その一部に、無線信号の受信強度を示すＲＳＳＩ（Received Signal Strength Indicator）を測定するＲＳＳＩ測定部１３を有している。ＲＳＳＩ測定部１３には、ＲＳＳＩの情報を送信可能なインタフェース１４が接続されている。【００２９】
一方、ベースバンド領域における信号処理を行うベースバンド処理部３は、デジタル変調部６、デジタル復調部７、チャネルコーディング・デコーディング部８、有線処理部９を有している。無線信号を送信する場合、有線処理部９は送信信号のフォーマット化等の有線処理を行い、チャネルコーディング・デコーディング部８が送信信号の符号化を行う。そして、デジタル変調部６が符号化された送信信号を変調して、送受信装置２へと送る。また、無線信号を受信する場合、デジタル復調部７が受信信号を復調し、チャネルコーディング・デコーディング部８が受信信号の復号化を行う。そして、有線処理部９にて受信信号のフォーマット解釈等の有線処理が行われる。【００３０】
さて、本実施の形態においては、デジタル復調部７が、無線信号のＳＩＲを検出するＳＩＲ検出装置７１を含んでいる。なお、無線処理部４が無線基地局装置１０内に設置され、初めて無線基地局装置１０の起動が行われる時に、ＳＩＲ検出装置７１は、無線基地局装置１０の起動シーケンスの一環として、ＮＦ検出部１１から無線処理部４におけるＮＦの情報をインタフェース１２を介して得る動作を行う。そして、ＳＩＲ検出装置７は、ＮＦの情報に基づいて、無線処理部４の内部雑音が無線信号に加える電力Ｎの値を特定し、その内部に設けられた記憶部（メモリやレジスタで構成される）７１ａ内に、その電力Ｎの値を記憶する。【００３１】
ＳＩＲ検出装置７１はまた、無線基地局装置１０が無線信号の受信処理を行い、ＲＳＳＩ測定部１３が受信信号のＲＳＳＩを測定したときに、測定されたＲＳＳＩの情報をインタフェース１４を介してＲＳＳＩ測定部１３から得る動作を行う。そして、ＳＩＲ検出装置７１は、無線信号の電力とＲＳＳＩの情報とを用いてＳＩＲの検出を行う。また、ＳＩＲ検出装置７は、無線信号のＳＩＲの検出を行った後に、ＮＦの情報とＲＳＳＩの情報とに基づいて、検出したＳＩＲの補正を行う。【００３２】
ＳＩＲ検出装置７１におけるＳＩＲ検出時には、ＲＳＳＩの情報に基づいて、無線信号に含まれる干渉成分の電力Ｉが算出される。ところが、ＲＳＳＩ＝Ｉ（干渉成分の電力）＋Ｎ（無線処理部４の内部雑音が無線信号に加える電力）として測定されているため、ＳＩＲ検出装置７１において算出されるＳＩＲには、無線処理部４のＮＦの影響が含まれている。このような、無線処理部４のＮＦの影響が含まれたＳＩＲを、ここではＳＩＮＲ（Signal to Interference and Noise Ratio）と定義する。なお、ＳＩＲの検出規定点はアンテナ１の入力端であるが、ＳＩＮＲの検出規定点はデジタル復調部７の入力端となる。【００３３】
上述の図１及び図２を用いた説明を考慮すれば、干渉成分の電力Ｉが高いところでは、無線処理部４のＮＦの影響が無視できるため、ＲＳＳＩ＝Ｉが成り立ち、ＳＩＲ＝ＳＩＮＲとなる。一方、干渉成分の電力Ｉが低いところでは、無線処理部４のＮＦの影響を無視できないためにＲＳＳＩ＝Ｉが成り立たず、ＳＩＲとＳＩＮＲとは異なる値となってしまう。【００３４】
このことを数式を用いて示す。まずＳＩＲは、下記式（１）で表される。【００３５】
【数１】
2007013149.tif 000002
【００３６】
ここで、Ｓは信号成分の電力、Ｉは干渉成分の電力である。また、ＳＩＮＲは、下記式（２）で表される。【００３７】
【数２】
2007013149.tif 000003
【００３８】
ここで、Ｎは無線処理部４の内部雑音が無線信号に加える電力である。【００３９】
式（１）および（２）より、ＳＩＲとＳＩＮＲとの関係は下記式（３）で表現される。【００４０】
【数３】
2007013149.tif 000004
【００４１】
上記式（３）を対数に変換すると、下記式（４）で表現される。【００４２】
【数４】
2007013149.tif 000005
【００４３】
式（４）から分かるように、ＳＩＮＲからＳＩＲへの変換式は、干渉成分の電力Ｉと無線処理部４の内部雑音成分の電力Ｎとの関数となる。そして、その変換量は１０×log (Ｉ＋Ｎ)−１０×logＩとの値である。すなわち、ＳＩＮＲを検出した際には、その検出したＳＩＮＲの値に対して、内部雑音の電力Ｎおよび干渉成分の電力Ｉに基づいた１０×log (Ｉ＋Ｎ)−１０×logＩとの補正量を減算することにより、ＳＩＮＲに含まれた内部雑音の電力Ｎを除去する補正を行うことができる。【００４４】
よって、本発明においては、デジタル復調部７内のＳＩＲ検出装置７１が、式（４）に基づき、干渉成分の電力Ｉの値と無線処理部４の内部雑音成分の電力Ｎの値とを用いてＳＩＮＲからＳＩＲへの補正を行う。【００４５】
より具体的には、ＳＩＲ検出装置７１は、初めて無線基地局装置１０の起動を行う時に、無線処理部４よりＮＦの情報を予め取得して、内部雑音の電力Ｎの値を特定し、記憶部７１ａ内に、その電力Ｎの値を記憶する。また、干渉成分の電力Ｉの採り得る値の範囲を複数に区分し、当該区分の各代表値と内部雑音の電力Ｎの値とに基づいて、区分ごとに上記１０×log (Ｉ＋Ｎ)−１０×logＩとの補正量を予め算出しておく。そして、算出された各補正量を記憶部７１ａ内に設けられたテーブルに記憶する。【００４６】
図４は、そのようなテーブル１５を示す図である。まず、テーブル１５においては、干渉成分の電力Ｉの採り得る値の範囲が、−１０８．０ｄＢｍ未満（インデックス０）から、−１０８．０ｄＢｍ以上−１０７．９ｄＢｍ未満（インデックス１）、−１０７．９ｄＢｍ以上−１０７．８ｄＢｍ未満（インデックス２）、…、−８５．１ｄＢｍ以上−８５．０ｄＢｍ未満（インデックス２２９）、−８５．０ｄＢｍ以上（インデックス２３０）まで、０．１ｄＢｍ刻みで区分されている。そして、各区分ごとに上記１０×log (Ｉ＋Ｎ)−１０×logＩとの補正量がａ０〜ａ２３０［ｄＢ］として算出され、算出された各補正量ａ０〜ａ２３０がテーブル１５に記憶されている。【００４７】
各補正量ａ０〜ａ２３０は、区分の各代表値と内部雑音の電力Ｎの値とに基づいて、区分ごとに算出される。区分の代表値には、−１０８．０ｄＢｍ以上−１０７．９ｄＢｍ未満（インデックス１）の区分を例に採れば、中央値たる−１０７．９５ｄＢｍを採用してもよいし、あるいは、区分内の最小値−１０８．０ｄＢｍや最大値−１０７．９ｄＢｍを採用してもよい。また、内部雑音の電力Ｎについては、図１および図２に示したＮＦのスペクトル成分（＋４ｄＢ）を用いればよい。【００４８】
ＳＩＲ検出装置７１は、ＳＩＮＲからＳＩＲへの補正に際して、ＲＳＳＩに基づいて算出した干渉成分の電力Ｉを参照しつつ、干渉成分の電力Ｉの値に応じた補正量ａ０〜ａ２３０の一つをテーブル１５から読み出す。そして、式（４）に基づいて、ＳＩＮＲから読み出した補正量を減算することによりＳＩＲへの補正を行う。【００４９】
例えば、ＲＳＳＩ測定部１３から得られたＲＳＳＩの値（干渉成分の電力Ｉに相当する）が−９１．０ｄＢｍの場合、ＳＩＲ検出装置７１は、−９１．０ｄＢｍの属するテーブル１５のインデックス１７１を参照する。テーブル１５によれば補正量がａ１７１［ｄＢ］であるので、ＳＩＲ検出装置７１は、すでに検出したＳＩＮＲから補正量ａ１７１［ｄＢ］だけ減算した値を、ＳＩＲとして算出する。【００５０】
本実施の形態に係るＳＩＲ検出装置および無線通信装置によれば、検出したＳＩＮＲの値に対して、無線処理部４が無線信号に加える内部雑音の電力Ｎおよび干渉成分の電力Ｉに基づいた補正量ａ０〜ａ２３０を演算することにより、ＳＩＮＲに含まれた内部雑音の電力Ｎを除去する補正を行う。よって、無線処理部４の内部雑音の影響のないＳＩＲが得られ、ＳＩＲの値を厳密に検出可能なＳＩＲ検出装置および無線通信装置を実現できる。【００５１】
また、本実施の形態に係るＳＩＲ検出装置によれば、干渉成分の電力Ｉの採り得る値の範囲を複数に区分し、区分の各代表値と内部雑音の電力Ｎの値とに基づいて、区分ごとに補正量ａ０〜ａ２３０を予め算出し、算出された各補正量ａ０〜ａ２３０をテーブル１５に記憶し、補正に際して、干渉成分の電力Ｉの値に応じた補正量ａ０〜ａ２３０をテーブル１５から読み出す。よって、補正を行う際に毎回、補正量を算出する必要が無く、テーブル１５から補正量ａ０〜ａ２３０を読み出すだけでよいので、速やかな補正が行える。【００５２】
本発明は特に、無線処理部４を製造する会社とベースバンド処理部３を製造する会社とが異なっており、ベースバンド処理部３には無線処理部４のＮＦが初期情報として与えられていない場合に、有効となる。【００５３】
無線処理部４の性能は、製造会社や製品ラインナップ等によりさまざまに異なっており、それに対応して無線処理部４のＮＦの値もさまざまに異なっている。初めて無線基地局装置１０の起動を行う際には、ベースバンド処理部３内にて機器の調整を行うためにＳＩＲ検出が必要となるが、本発明に係るＳＩＲ検出装置および無線通信装置によれば、ＳＩＲ検出装置７１が、無線基地局装置１０内に設置される無線処理部４のＮＦの情報に基づいて、ＳＩＲの値を厳密に検出することで、製造会社や製品ラインナップ等の制限に囚われることなく、無線処理部４やベースバンド処理部３の装置を自由に組み合わせて無線基地局装置１０を実現できる。このことが、本発明を有効とさせるのである。なお、無線処理部４の取替え・交換時にも、ＳＩＮＲからＳＩＲへの補正が行えるので、本発明は有効となる。【００５４】
なお、ＳＩＲ検出装置７１においては、上記のＳＩＮＲからＳＩＲへの補正を行うか否かを選択可能としておけばよい。図１のように干渉成分の値が低い場合には、ＳＩＲに含まれる無線処理部のＮＦの影響を除去する補正を行う必要があるが、一方、図２のように干渉成分の値が高い場合には、ＳＩＲに含まれる無線処理部のＮＦの影響が無視できるからである。【００５５】
また、補正を行うか否かを選択可能とすることにより、補正を行わない選択をした場合に、ＳＩＲが無線処理部４の内部雑音の影響を受けたワースケースの下で、ベースバンド処理部３等の他の通信処理部の性能評価を行うことができ、性能評価の信頼性を高めることもできる。【００５６】
（実施の形態２）
本実施の形態は、実施の形態１に係るＳＩＲ検出装置および無線通信装置の変形例であって、検出されたＳＩＮＲに対してＳＩＲへと変換する実施の形態１と同様の第１の補正を行い、さらにＣＤＭＡ方式におけるパイロットビット数に基づいた補正量を演算することにより、ＳＩＲの推定に伴う誤差を縮小する第２の補正をも行うものである。【００５７】
なお、本実施の形態に係るＳＩＲ検出装置および無線通信装置の構成は、実施の形態１に係る構成と同様であり、図２中のＳＩＲ検出装置７１の補正処理が異なっているに過ぎない。【００５８】
図５は、ＣＤＭＡ方式におけるパイロットビット信号の逆拡散演算を行った結果のベクトルを示すものである。なお、図５においては、例としてパイロットビットが３ビットの場合を示している。【００５９】
また、図６はＷ−ＣＤＭＡ（Wideband-CDMA）の上り制御信号（DPCCH）２３の構成図であり、図７は、スロットフォーマット（Slot Format）と呼ばれる、信号構成を決定する各種インデックスとその構成数についてまとめた表である。なお、図６の制御信号２３内におけるＴＦＣＩ２３ｂは、Transport Format Combination Indicatorを指し、ＦＢＩ２３ｃはFeedBack Informationを、ＴＰＣ２３ｄはTransfer Power Controlを、それぞれ指す。【００６０】
図７に示すように、スロットフォーマットのインデックスは、０から５Ｂまでの１２種類存在する。そして、それぞれのスロットフォーマットによって、パイロットビット数が異なり、パイロットビット数の採り得る値は３から８までの範囲にわたる。パイロットビット数が増えることにより、パイロット推定による復調信号の誤差が小さくなる。【００６１】
図５中のベクトル１６，１７，１８はそれぞれ、パイロットビット信号SIG(i)(i=0,1,2)の逆拡散ベクトルR＿SIG(i)(i=0,1,2)であり、ベクトル１９が復調信号の理想点である。ベクトル２０，２１，２２はそれぞれのパイロットビット信号の干渉成分となっており、INTER(i)(i=0,1,2)と表せる。復調信号電力（ベクトル１９の電力）SIG＿POWは、それぞれのパイロットビット信号の逆拡散結果の平均値となるので、下記式（５）のように求められる。【００６２】
【数５】
2007013149.tif 000006
【００６３】
ここで、N＿PILOTはパイロットビット数を指す。INTER(i)はガウス分布を示し、その分布は√（N＿PILOT）倍になる。一方、信号成分SIG(i)は、一定値であると考えられるので、平均値とみなしてSIG(i)=SIG＿AVEとすると、【００６４】
【数６】
2007013149.tif 000007
【００６５】
となる。なお、INTER＿AVEは干渉成分INTER(i)の平均値である。ここで、平均値INTER＿AVEは、N＿PILOT分の平均値を長周期的にみたものであって、その値が０となるために、【００６６】
【数７】
2007013149.tif 000008
【００６７】
となる。よって、式（６）は、【００６８】
【数８】
2007013149.tif 000009
【００６９】
となり、信号成分に（INTER＿AVE2／N＿PILOT）との項が余分に加わっていることになる。【００７０】
次に、干渉成分の電力値INT＿POWの算出を考える。電力値INT＿POWは逆拡散結果R＿SIG(i)(i=0,1,2)の分散として求めることが可能である。よって、下記式（９）のように求められる。【００７１】
【数９】
2007013149.tif 000010
【００７２】
ここで、式（５）および式（８）より、【００７３】
【数１０】
2007013149.tif 000011
【００７４】
が導かれる。また、平均値INTER＿AVEは、N＿PILOT分の平均値を長周期的にみたものであって０となるために、干渉成分の電力値INT＿POWは、【００７５】
【数１１】
2007013149.tif 000012
【００７６】
となる。【００７７】
ここで、式（１０）および（１１）を式（９）に代入すると、【００７８】
【数１２】
2007013149.tif 000013
【００７９】
となり、求める値に（（N＿PILOT−１）／N＿PILOT）を乗じた値になっている。【００８０】
以下に、ＳＩＲの算出を行う。式（９）および（１２）を用いると、下記式（１３）が導かれる。【００８１】
【数１３】
2007013149.tif 000014
【００８２】
このようにＳＩＲの推定値は、復調信号電力（ベクトル１９）SIG＿POWと干渉成分の電力値INT＿POWとの比およびパイロットビット数N＿PILOTをパラメータとして表現される。なお、上記式（１３）は１スロット単位での算出式である。２スロット単位での算出式は下記式（１４）となる。【００８３】
【数１４】
2007013149.tif 000015
【００８４】
式（１３）や式（１４）から分かるように、ＳＩＲ推定における誤差補正量は、パイロットビット数N＿PILOTの関数となる。【００８５】
本実施の形態に係るＳＩＲ検出装置７１においては、検出されたＳＩＮＲに対して、式（４）に基づいてＳＩＲへと変換する実施の形態１と同様の第１の補正を行い、その後、さらに式（１３）や式（１４）に基づいて、ＣＤＭＡ方式におけるパイロットビット数に基づいた補正量（N＿PILOTを構成要素として含む（（N＿PILOT−１）／N＿PILOT）および１／N＿PILOTの各成分）を演算することにより、ＳＩＲの推定に伴う誤差を縮小する第２の補正を行う。【００８６】
すなわち、本実施の形態に係るＳＩＲ検出装置７１は、デジタル復調部７にて復調信号より特定されたパイロットビット数N＿PILOTの情報に基づき、ＳＩＮＲから無線処理部４のＮＦの影響を除去する第１の補正が行われたＳＩＲの値にさらに、（（N＿PILOT−１）／N＿PILOT）を乗じて、１／N＿PILOT（１スロット単位の場合。２スロット単位の場合ならば１／（２×N＿PILOT））を減算する第２の補正を行う。【００８７】
この第２の補正においては、パイロットビット数に応じて様々に（（N＿PILOT−１）／N＿PILOT）および１／N＿PILOT（もしくは１／（２×N＿PILOT））の値が変化するので、本実施の形態においては、第１の補正が行われたＳＩＲの採り得る値の範囲を複数に区分し、パイロットビット数N＿PILOTに基づいて、各パイロットビット数ごとに補正量を予め算出しておく。そして、算出された各補正量を区分の各代表値に演算して、各演算結果を記憶部７１ａ内に設けられたテーブルに記憶しておく。【００８８】
図８は、そのようなテーブル２４を示す図である。まず、テーブル２４においては、第１の補正が行われたＳＩＲの採り得る値の範囲が、−１１．１ｄＢ（インデックス０）から、−１１．０ｄＢ（インデックス１）、−１０．９ｄＢ（インデックス２）、…、＋２０．０ｄＢ（インデックス３１１）まで、０．１ｄＢ刻みで区分されている。第１の補正が行われたＳＩＲ値に小数点第２位以下の部分がある場合には、例えば四捨五入することにより、切り上げ、または、切り下げて、ＳＩＲ値がいずれかのインデックスの区分に入るようにすれば良い。区分の代表値には、各インデックスの値を採用すればよい（例えば、インデックス１ならば−１１．０ｄＢ）。また、−１１．１ｄＢ未満の値は−１１．１ｄＢとみなし、＋２０．０ｄＢよりも大きい値は＋２０．０ｄＢとみなせばよい。【００８９】
そして、パイロットビット数N＿PILOTごと（ここでは、パイロットビット数が３〜８のいずれかを採ると想定している）に、上記（（N＿PILOT−１）／N＿PILOT）および１／N＿PILOT（もしくは１／（２×N＿PILOT））との補正量を算出し、その各算出値を式（１３）や式（１４）に基づいて区分の各代表値に演算して、各演算結果を、ａ０３〜ａ０８［ｄＢ］、ａ１３〜ａ１８［ｄＢ］、…、ａ３１１３〜ａ３１１８［ｄＢ］としてテーブル２４に記憶する。【００９０】
例えば、第１の補正が行われたＳＩＲの値が＋４．５ｄＢ、パイロットビット数が４の場合、テーブル２４のインデックス１５６の情報とパイロットビット数４の情報とに基づいて、パイロットビット数４に応じた補正量をインデックス１５６の代表値＋４．５ｄＢに演算して得られた演算結果ａ１５６４［ｄＢ］の情報がＳＩＲ検出装置７１により第２の補正の演算結果として読み出される。この読み出された値が、検出されたＳＩＲとなる。【００９１】
本実施の形態に係るＳＩＲ検出装置および無線通信装置によれば、検出されたＳＩＮＲに対してＳＩＲへと変換する第１の補正を行い、さらにＣＤＭＡ方式におけるパイロットビット数に基づいた第２の補正量を演算することにより、ＳＩＲの推定に伴う誤差を縮小する第２の補正を行う。よって、ＣＤＭＡ方式において、ＳＩＲの値をより厳密に検出可能なＳＩＲ検出装置を実現できる。【００９２】
また、本実施の形態に係るＳＩＲ検出装置および無線通信装置によれば、第１補正が行われたＳＩＲの採り得る値の範囲を複数に区分し、パイロットビット数に基づいて、パイロットビット数ごとに補正量（（（N＿PILOT−１）／N＿PILOT）および１／N＿PILOT（もしくは１／（２×N＿PILOT）））を予め算出し、算出された各補正量を区分の各代表値に演算して、各演算結果をテーブル２４に記憶し、第２の補正に際して、各演算結果をテーブル２４から読み出す。よって、第２の補正を行う際に毎回、補正量を算出する必要が無く、テーブルから予め得た演算結果を読み出すだけでよいので、速やかな第２の補正が行える。【００９３】
（実施の形態３）
本実施の形態も、実施の形態１に係るＳＩＲ検出装置および無線通信装置の変形例であって、実施の形態１における無線処理部４は複数の無線処理部から選択される一つであって、その選択された無線処理部に対応した電力Ｎに基づいた補正量を演算するものである。【００９４】
図９は、本実施の形態に係る無線通信装置たる無線基地局装置１０の構成を示す図である。この無線基地局装置１０は、実施の形態１における無線基地局装置１０内の無線処理部４に代わって、製造会社や製品ラインナップ等により様々な複数の無線処理部４１〜４ｎ（ｎ：自然数）から選択された一つの無線処理部（例えば４１）が採用されている。なお、複数の無線処理部４１〜４ｎのそれぞれに対応してＮＦの値も複数、存在する。【００９５】
また、本実施の形態に係る無線基地局装置１０では、デジタル復調部７に代わってＳＩＲ検出装置７２を有するデジタル復調部７ａが設けられている。ＳＩＲ検出装置７２は、ＳＩＲ検出装置７１と同様に無線信号のＳＩＲを検出し、メモリやレジスタで構成される記憶部７２ａを有する。【００９６】
ただし、本実施の形態においては、実施の形態１におけるインタフェース１２のような、各無線処理部４１〜４ｎが各々のＮＦを通知するインタフェースを設けておらず、無線基地局装置１０の起動シーケンスにおいて、無線処理部４１〜４ｎにおける各ＮＦの情報を自動的にＳＩＲ検出装置７２が得ることはない。【００９７】
このように通知インタフェースは設けられないものの、ＳＩＲ検出装置７２には、無線処理部４１〜４ｎの各ＮＦの情報が与えられないのではない。本実施の形態においては、無線基地局装置１０の保守・点検者等の人手により、無線処理部４１〜４ｎの各ＮＦの情報が全てＳＩＲ検出装置７２に与えられ、ＳＩＲ検出装置７２内の記憶部７２ａの第１テーブル２５に記憶される。図９では、第１テーブル２５に、ｎ個の無線処理部４１〜４ｎの各々に対応したＮＦの成分値がｂ１〜ｂｎ［ｄＢ］として記憶されている様子が示されている。なお、記憶部７２ａには、第１テーブル２５だけでなく、第２テーブル２６も設けられている。【００９８】
その他の構成は、実施の形態１に係る無線基地局装置１０と同様であるので説明を省略する。【００９９】
本実施の形態においては、ＳＩＲ検出装置７２は、第１テーブル２５に記憶された各ＮＦの情報に基づいて、無線処理部４１〜４ｎの内部雑音が無線信号に加える各電力Ｎの値を特定する。そして、ＳＩＲ検出装置７２は、式（４）に基づき、干渉成分の電力Ｉの値と無線処理部４１〜４ｎから選択された無線処理部（例えば４１）に対応した電力Ｎの値とを用いてＳＩＮＲからＳＩＲへの補正を行う。【０１００】
より具体的には、ＳＩＲ検出装置７２は、初めて無線基地局装置１０の起動を行う時に、第１テーブル２５に記憶された無線処理部４１〜４ｎの各ＮＦの値を用いて、各無線処理部４１〜４ｎごと、および、干渉成分の電力Ｉの採り得る値の区分ごとに、式（４）中の１０×log (Ｉ＋Ｎ)−１０×logＩとの補正量を予め算出しておく。そして、算出された各補正量を第２テーブル２６に記憶する。【０１０１】
図１０は、そのような第２テーブル２６を示す図である。まず、第２テーブル２６においては、第１無線処理部４１〜第ｎ無線処理部４ｎごとの補正量の格納領域２６ａ，２６ｂ，…，２６ｃを有している。そして、図１０に格納領域２６ｂを拡大して示しているように、各格納領域のそれぞれは、干渉成分の電力Ｉの採り得る値の範囲が、−１０８．０ｄＢｍ未満（インデックス０）から、−１０８．０ｄＢｍ以上−１０７．９ｄＢｍ未満（インデックス１）、−１０７．９ｄＢｍ以上−１０７．８ｄＢｍ未満（インデックス２）、…、−８５．１ｄＢｍ以上−８５．０ｄＢｍ未満（インデックス２２９）、−８５．０ｄＢｍ以上（インデックス２３０）まで、０．１ｄＢｍ刻みで区分されている。そして、各区分ごとに上記１０×log (Ｉ＋Ｎ)−１０×logＩとの補正量がｙ０〜ｙ２３０［ｄＢ］として算出され、算出された各補正量ｙ０〜ｙ２３０が第２テーブル２６内の各格納領域２６ａ，２６ｂ，…，２６ｃに記憶されている。【０１０２】
各補正量ｙ０〜ｙ２３０は、区分の各代表値と、第１無線処理部４１〜第ｎ無線処理部４ｎの内部雑音の各電力Ｎの値とに基づいて、区分ごとに算出される。区分の代表値には、−１０８．０ｄＢｍ以上−１０７．９ｄＢｍ未満（インデックス１）の区分を例に採れば、中央値たる−１０７．９５ｄＢｍを採用してもよいし、あるいは、区分内の最小値−１０８．０ｄＢｍや最大値−１０７．９ｄＢｍを採用してもよい。また、第１無線処理部４１〜第ｎ無線処理部４ｎの内部雑音の各電力Ｎについては、図１および図２に示したＮＦのスペクトル成分（＋４ｄＢ）を用いればよい。【０１０３】
ＳＩＲ検出装置７２は、ＳＩＮＲからＳＩＲへの補正に際して、ＲＳＳＩに基づいて算出した干渉成分の電力Ｉを参照しつつ、第１無線処理部４１〜第ｎ無線処理部４ｎのうち無線基地局装置１０内に設置するために選択された無線処理部に対応した電力Ｎと、干渉成分の電力Ｉとに基づいた補正量ｙ０〜ｙ２３０の一つを第２テーブル２６から読み出す。そして、式（４）に基づいて、ＳＩＮＲから読み出した補正量を減算することによりＳＩＲへの補正を行う。【０１０４】
例えば、第１無線処理部４１〜第ｎ無線処理部４ｎのうち無線基地局装置１０内に採用されたものが、Ａ会社製のＢ製品たる第２無線処理部４２であった場合に、無線基地局装置１０の保守・点検者は、初めて無線基地局装置１０の起動を行う時に、ＳＩＲ検出装置７２に対して無線基地局装置１０に第２無線処理部４２が採用されている旨の情報を与える。【０１０５】
ＲＳＳＩ測定部１３から得られたＲＳＳＩの値（干渉成分の電力Ｉに相当する）が−９１．０ｄＢｍの場合、ＳＩＲ検出装置７１は、第２無線処理部４２に対応する格納領域２６ｂを参照し、格納領域２６ｂ内にて−９１．０ｄＢｍの属するインデックス１７１を参照する。格納領域２６ｂによれば補正量がｙ１７１［ｄＢ］であるので、ＳＩＲ検出装置７２は、すでに検出したＳＩＮＲから補正量ｙ１７１［ｄＢ］だけ減算した値をＳＩＲとする。【０１０６】
なお、実施の形態２に示したように、ＳＩＮＲからＳＩＲへと変換する補正を行った後、パイロットビット数に基づいた補正量を演算することにより、ＳＩＲの推定に伴う誤差を縮小する第２の補正を行ってもよい。【０１０７】
本実施の形態に係るＳＩＲ検出装置および無線通信装置によれば、検出されたＳＩＮＲに対してＳＩＲへと変換する補正において、検出したＳＩＮＲの値に対して、複数の無線処理部４１〜４ｎから選択された無線処理部に対応した電力Ｎおよび干渉成分の電力Ｉに基づいた補正量を演算する。よって、製造会社や製品ラインナップ等により様々な複数の無線処理部４１〜４ｎのいずれが選択されたとしても内部雑音の影響のないＳＩＲが得られ、ＳＩＲの値を厳密に検出可能なＳＩＲ検出装置を実現できる。【０１０８】
また、本実施の形態に係るＳＩＲ検出装置および無線通信装置によれば、干渉成分の電力Ｉの採り得る値の範囲を複数に区分し、区分の各代表値と複数の無線処理部４１〜４ｎの内部雑音の各電力Ｎの値とに基づいて、区分ごとおよび複数の無線処理部４１〜４ｎごとに補正量を予め算出し、算出された各補正量をテーブル２６に記憶し、ＳＩＮＲからＳＩＲへと変換する補正に際して、干渉成分の電力Ｉの値と、複数の無線処理部４１〜４ｎから選択された無線処理部とに応じた補正量をテーブル２６から読み出す。よって、ＳＩＮＲからＳＩＲへと変換する補正を行う際に毎回、補正量を算出する必要が無く、テーブル２６から補正量を読み出すだけでよいので、速やかな補正が行える。【０１０９】
（実施の形態４）
本実施の形態は、実施の形態１および２に係るＳＩＲ検出装置および無線通信装置の変形例であって、実施の形態１におけるテーブル１５と実施の形態２におけるテーブル２４とを組み合わせた一面のテーブルを用いて、ＳＩＲに含まれた内部雑音の電力Ｎを除去する第１の補正、および、ＣＤＭＡ方式におけるパイロットビット数に基づく、ＳＩＲの推定に伴う誤差を縮小する第２の補正を行うＳＩＲ検出装置および無線通信装置である。【０１１０】
なお、本実施の形態に係るＳＩＲ検出装置および無線通信装置の構成は、実施の形態１に係る構成と同様であり、図２中のＳＩＲ検出装置７１の補正処理が異なっているに過ぎない。【０１１１】
図１１は、検出したＳＩＮＲの値に対して、式（４）にて、内部雑音の電力Ｎおよび干渉成分の電力Ｉに基づいた１０×log (Ｉ＋Ｎ)−１０×logＩとの補正量を減算することにより、ＳＩＮＲに含まれた内部雑音の電力Ｎを除去する第１補正と、式（１３）や式（１４）にて、ＣＤＭＡ方式におけるパイロットビット数に基づいた補正量（（N＿PILOT−１）／N＿PILOTおよび１／N＿PILOTの各成分）を演算することにより、ＳＩＲの推定に伴う誤差を縮小する第２の補正とを、一括して行うためのテーブル２７を示す図である。【０１１２】
まず、テーブル２７においては、干渉成分の電力Ｉの採り得る値の範囲が、第１区分として、−１０８．０ｄＢｍ未満（インデックス０）から、−１０８．０ｄＢｍ以上−１０７．９ｄＢｍ未満（インデックス１）、−１０７．９ｄＢｍ以上−１０７．８ｄＢｍ未満（インデックス２）、…、−８５．１ｄＢｍ以上−８５．０ｄＢｍ未満（インデックス２２９）、−８５．０ｄＢｍ以上（インデックス２３０）まで、０．１ｄＢｍ刻みで区分されている。そして、各第１区分ごとに、電力Ｎの値に応じて、上記１０×log (Ｉ＋Ｎ)−１０×logＩとの補正量が複数の第１補正量として予め算出される。【０１１３】
また、本実施の形態においては、検出するＳＩＮＲの採り得る値の範囲を第２区分として区分しておく。テーブル２７においては、検出するＳＩＮＲの採り得る値が、−１１．１ｄＢから、−１１．０ｄＢ、−１０．９ｄＢ、…、＋２０．０ｄＢまで、０．１ｄＢ刻みで区分されている。検出ＳＩＮＲ値に小数点第２位以下の部分がある場合には、例えば四捨五入することにより、切り上げ、または、切り下げて、ＳＩＲ値がいずれかのインデックスの区分に入るようにすれば良い。区分の代表値には、各インデックスの値を採用すればよい（例えば、インデックス１ならば−１１．０ｄＢ）。また、−１１．１ｄＢ未満の値は−１１．１ｄＢとみなし、＋２０．０ｄＢよりも大きい値は＋２０．０ｄＢとみなせばよい。【０１１４】
そして、算出した第１補正量を各第２区分の各代表値に対して演算し、第１演算値を得る。この第１演算値は、ＳＩＮＲから無線処理部４の内部雑音の電力Ｎが除去されたＳＩＲの各値である。【０１１５】
そして、パイロットビット数N＿PILOTごと（ここでは、パイロットビット数が３〜８のいずれかを採ると想定している）に、上記（（N＿PILOT−１）／N＿PILOT）および１／N＿PILOT（もしくは１／（２×N＿PILOT））との第２補正量を算出し、その各算出値を式（１３）や式（１４）に基づいて各第１演算値に演算して、各演算結果を、第２演算値a-0-0-3〜a-0-0-8［ｄＢ］、a-0-1-3〜a-0-1-8［ｄＢ］、…、a-0-311-3〜a-0-311-8［ｄＢ］、a-1-0-3〜a-1-0-8［ｄＢ］、…、a-1-311-3〜a-1-311-8［ｄＢ］、…a-230-0-3〜a-230-0-8［ｄＢ］、…、a-230-311-3〜a-230-311-8［ｄＢ］としてテーブル２７に記憶する。【０１１６】
例えば、ＲＳＳＩ測定部１３から得られたＲＳＳＩの値（干渉成分の電力Ｉに相当する）が−９１．０ｄＢｍであり、検出されるＳＩＮＲの値が＋４．５ｄＢ、パイロットビット数が５の場合、ＳＩＲ検出装置７１は、−９１．０ｄＢｍの属するテーブル２７のインデックス１７１のうちＳＩＮＲ値の＋４．５ｄＢの欄とパイロットビット数５の情報とに基づいて、干渉成分の電力Ｉの値−９１．０ｄＢｍ、検出されたＳＩＮＲの値＋４．５ｄＢおよびパイロットビット数５に応じた第２演算値a-171-156-5［ｄＢ］の情報がＳＩＲ検出装置７１により第１および第２の補正の演算結果として読み出される。【０１１７】
本実施の形態に係るＳＩＲ検出装置および無線通信装置によれば、第１および第２の補正に際して、干渉成分の電力Ｉの値、検出されたＳＩＲの値およびパイロットビット数に応じた第２演算値をテーブル２７から読み出す。よって、第１および第２補正を行う際に毎回、第１および第２補正量を算出する必要が無く、テーブル２７から第２演算値を読み出すだけでよいので、速やかな第１および第２補正が行える。また、算出された各第２補正量（（（N＿PILOT−１）／N＿PILOT）および１／N＿PILOT（もしくは１／（２×N＿PILOT）））を第１演算値に演算して、各演算結果を第２演算値としてテーブル２７に記憶し、第１および第２補正に際してテーブル２７から読み出して用いるので、第１および第２補正を二段階で行うことなく、一括して速やかに行うことができる。【０１１８】
この発明は詳細に説明されたが、上記した説明は、すべての局面において、例示であって、この発明がそれに限定されるものではない。例示されていない無数の変形例が、この発明の範囲から外れることなく想定され得るものと解される。
【図１】
2007013149.tif 000016
【図２】
2007013149.tif 000017
【図３】
2007013149.tif 000018
【図４】
2007013149.tif 000019
【図５】
2007013149.tif 000020
【図６】
2007013149.tif 000021
【図７】
2007013149.tif 000022
【図８】
2007013149.tif 000023
【図９】
2007013149.tif 000024
【図１０】
2007013149.tif 000025
【図１１】
2007013149.tif 000026
【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
無線信号の信号成分と干渉成分との電力比を示す信号成分対干渉成分比（ＳＩＲ：Signal to Interference Ratio）の検出を行う検出手段と、
前記無線信号に対してＲＦ（Radio Frequency）領域におけるアナログ信号処理を行う無線処理部のＮＦ（Noise Figure）に基づいて、前記無線処理部の内部雑音が前記無線信号に加える電力Ｎの値を特定する第１特定手段と、
前記無線信号の受信強度を示すＲＳＳＩ（Received Signal Strength Indicator）に基づいて、前記無線信号に含まれる干渉成分の電力Ｉの値を特定する第２特定手段と
を備え、
前記検出手段で検出された前記ＳＩＲをＳＩＲ１とし、本来のＳＩＲをＳＩＲ２とすると、ＳＩＲ２＝ＳＩＲ１×（Ｉ＋Ｎ）／Ｉの関係式が成立し、
前記検出手段が検出した前記ＳＩＲの値に対して、前記内部雑音の電力Ｎおよび前記干渉成分の電力Ｉに基づいた第１補正量を演算することにより、前記ＳＩＲに含まれた前記内部雑音の電力Ｎを除去する第１補正を行う補正手段をさらに備えるＳＩＲ検出装置。
【請求項２】
前記第１特定手段は、前記無線処理部より前記ＮＦの情報を予め取得して、前記内部雑音の電力Ｎの値を特定し、
前記補正手段は、
前記干渉成分の電力Ｉの採り得る値の範囲を複数に区分し、前記区分の各代表値と前記内部雑音の電力Ｎの値とに基づいて、前記区分ごとに前記第１補正量を予め算出し、算出された各前記第１補正量をテーブルに記憶し、
前記第１補正に際して、前記干渉成分の電力Ｉの値に応じた前記第１補正量を前記テーブルから読み出す請求項１記載のＳＩＲ検出装置。
【請求項３】
前記無線信号は、ＣＤＭＡ（Code Division Multiple Access）方式の信号であって、
前記補正手段は、前記第１補正が行われた前記ＳＩＲに対して、さらにＣＤＭＡ方式におけるパイロットビット数に基づいた第２補正量を演算することにより、前記ＳＩＲの推定に伴う誤差を縮小する第２補正を行う請求項１記載のＳＩＲ検出装置。
【請求項４】
前記補正手段は、
前記第１補正が行われた前記ＳＩＲの採り得る値の範囲を複数に区分し、前記パイロットビット数に基づいて、前記パイロットビット数ごとに前記第２補正量を予め算出し、算出された各第２補正量を前記区分の各代表値に演算して、各演算結果をテーブルに記憶し、
前記第２補正に際して、前記第１補正の行われた前記ＳＩＲの値および前記パイロットビット数に応じた前記演算結果を前記テーブルから読み出す請求項３記載のＳＩＲ検出装置。
【請求項５】
前記第１特定手段は、前記無線処理部より前記ＮＦの情報を予め取得して、前記内部雑音の電力Ｎの値を特定し、
前記補正手段は、
前記干渉成分の電力Ｉの採り得る値の範囲を複数の第１区分に区分し、また、検出する前記ＳＩＲの採り得る値の範囲を複数の第２区分に区分し、
前記第１区分の各代表値と前記内部雑音の電力Ｎの値とに基づいて、前記第１区分ごとに前記第１補正量を予め算出し、
算出した前記第１補正量を前記第２区分の各代表値に対して演算し、各演算結果を第１演算値とし、
前記パイロットビット数に基づいて、前記パイロットビット数ごとに前記第２補正量を予め算出し、
算出された各第２補正量を各前記第１演算値に演算して、各演算結果を第２演算値としてテーブルに記憶し、
前記第１および第２補正に際して、前記干渉成分の電力Ｉの値、検出された前記ＳＩＲの値および前記パイロットビット数に応じた前記第２演算値を前記テーブルから読み出す請求項３記載のＳＩＲ検出装置。
【請求項６】
前記無線処理部は複数の無線処理部から選択される一つであって、前記複数の無線処理部に対応して前記ＮＦも複数、存在し、
前記第１特定手段は、複数の前記ＮＦに基づいて、前記複数の無線処理部の各前記内部雑音が前記無線信号に加える各電力Ｎの値を特定し、
前記補正手段は、前記第１補正において、検出された前記ＳＩＲの値に対して、前記複数の無線処理部から選択された前記無線処理部に対応した前記電力Ｎおよび前記干渉成分の電力Ｉに基づいた前記第１補正量を演算する請求項１記載のＳＩＲ検出装置。
【請求項７】
前記第１特定手段は、複数の前記ＮＦの情報を予め取得して、各前記内部雑音の各電力Ｎの値を特定し、
前記補正手段は、
前記干渉成分の電力Ｉの採り得る値の範囲を複数に区分し、前記区分の各代表値と各前記内部雑音の各電力Ｎの値とに基づいて、前記区分ごとおよび前記複数の無線処理部ごとに前記第１補正量を予め算出し、算出された各前記第１補正量をテーブルに記憶し、
前記第１補正に際して、前記干渉成分の電力Ｉの値と、前記複数の無線処理部から選択された前記無線処理部とに応じた前記第１補正量を前記テーブルから読み出す請求項６記載のＳＩＲ検出装置。
【請求項８】
前記第１補正を行うか否かを選択可能な請求項１記載のＳＩＲ検出装置。
【請求項９】
請求項１乃至８のいずれかに記載のＳＩＲ検出装置を含む復調器と、
前記無線信号に対してＲＦ領域におけるアナログ信号処理を行う無線処理部と、
ＲＳＳＩ測定部と
を備える無線通信装置。
【手続補正２】
【補正対象書類名】明細書
【補正対象項目名】００１０
【補正方法】変更
【補正の内容】
【００１０】
本発明に係るＳＩＲ検出装置および無線通信装置は、無線信号の信号成分と干渉成分との電力比を示す信号成分対干渉成分比（ＳＩＲ：Signal to Interference Ratio）の検出を行う検出手段と、前記無線信号に対してＲＦ（Radio Frequency）領域におけるアナログ信号処理を行う無線処理部のＮＦ（Noise Figure）に基づいて、前記無線処理部の内部雑音が前記無線信号に加える電力Ｎの値を特定する第１特定手段と、前記無線信号の受信強度を示すＲＳＳＩ（Received Signal Strength Indicator）に基づいて、前記無線信号に含まれる干渉成分の電力Ｉの値を特定する第２特定手段とを備え、前記検出手段で検出された前記ＳＩＲをＳＩＲ１とし、本来のＳＩＲをＳＩＲ２とすると、ＳＩＲ２＝ＳＩＲ１×（Ｉ＋Ｎ）／Ｉの関係式が成立し、前記検出手段が検出した前記ＳＩＲの値に対して、前記内部雑音の電力Ｎおよび前記干渉成分の電力Ｉに基づいた第１補正量を演算することにより、前記ＳＩＲに含まれた前記内部雑音の電力Ｎを除去する第１補正を行う補正手段をさらに備える。
【手続補正３】
【補正対象書類名】明細書
【補正対象項目名】００４９
【補正方法】変更
【補正の内容】
【００４９】
例えば、ＲＳＳＩ測定部１３から得られたＲＳＳＩに基づいて算出した干渉成分の電力Ｉが−９１．０ｄＢｍの場合、ＳＩＲ検出装置７１は、−９１．０ｄＢｍの属するテーブル１５のインデックス１７１を参照する。テーブル１５によれば補正量がａ１７１［ｄＢ］であるので、ＳＩＲ検出装置７１は、すでに検出したＳＩＮＲから補正量ａ１７１［ｄＢ］だけ減算した値を、ＳＩＲとして算出する。
【手続補正４】
【補正対象書類名】明細書
【補正対象項目名】０１０５
【補正方法】変更
【補正の内容】
【０１０５】
ＲＳＳＩ測定部１３から得られたＲＳＳＩに基づいて算出した干渉成分の電力Ｉが−９１．０ｄＢｍの場合、ＳＩＲ検出装置７１は、第２無線処理部４２に対応する格納領域２６ｂを参照し、格納領域２６ｂ内にて−９１．０ｄＢｍの属するインデックス１７１を参照する。格納領域２６ｂによれば補正量がｙ１７１［ｄＢ］であるので、ＳＩＲ検出装置７２は、すでに検出したＳＩＮＲから補正量ｙ１７１［ｄＢ］だけ減算した値をＳＩＲとする。
【手続補正５】
【補正対象書類名】明細書
【補正対象項目名】０１１６
【補正方法】変更
【補正の内容】
【０１１６】
例えば、ＲＳＳＩ測定部１３から得られたＲＳＳＩに基づいて算出した干渉成分の電力Ｉが−９１．０ｄＢｍであり、検出されるＳＩＮＲの値が＋４．５ｄＢ、パイロットビット数が５の場合、ＳＩＲ検出装置７１は、−９１．０ｄＢｍの属するテーブル２７のインデックス１７１のうちＳＩＮＲ値の＋４．５ｄＢの欄とパイロットビット数５の情報とに基づいて、干渉成分の電力Ｉの値−９１．０ｄＢｍ、検出されたＳＩＮＲの値＋４．５ｄＢおよびパイロットビット数５に応じた第２演算値a-171-156-5［ｄＢ］の情報がＳＩＲ検出装置７１により第１および第２の補正の演算結果として読み出される。
【国際調査報告】
2007013149.tif 000027
2007013149.tif 000028